(57)【要約】【課題】編集作業を行うことなく、消去したくない映像信号が既に記録されている光ディスクを、既に記録されていた映像信号を失うことなく、１つのタイトルの映像信号のみが、最も高画質でもって記録された光ディスクに更新する。【解決手段】転送制御手段１７は、ＤＶＤ１１に映像信号が記録されていることを検出したときには、ＤＶＤ１１に記録されている映像信号をＨＤＤ６に転送し、記録制御手段１８は、ＤＶＤ１１に、データエリアの全てが空きエリアであるとみなして映像信号の記録を行うとともに、ＤＶＤ１１におけるデータエリアのうち、映像信号が既に記録されていたエリアについては、既に記録されていた映像信号が転送制御手段１７によってＨＤＤ６に転送された後に映像信号の記録を行う。【選択図】  図１
2005293795.tif 000002
【特許請求の範囲】
【請求項１】
商用放送を受信するチューナ部と、
データの書き換えが可能なＤＶＤに映像信号の書き込みを行うとともにＤＶＤに記録された映像信号の読み出しを行うディスクドライブ部と、
映像信号の記録再生を行うハードディスクドライブと、
ディスクドライブ部とハードディスクドライブとを制御することによって、ＤＶＤに記録された映像信号をハードディスクドライブに転送する転送制御手段と、
ディスクドライブ部を制御することによって、ＤＶＤに映像信号の記録を行う記録制御手段とを備えた映像信号記録再生装置において、
転送制御手段は、ディスクドライブ部にセットされたＤＶＤに映像信号が記録されていることが判明したときには、ＤＶＤに記録されている映像信号をハードディスクドライブに転送し、
記録制御手段は、ＤＶＤに、データの記録が可能なエリアであるデータエリアの全てが空きエリアであるとみなして映像信号の記録を行うとともに、前記データエリアのうち、映像信号が既に記録されていたエリアについては、前記既に記録されていた映像信号が転送制御手段によってハードディスクドライブに転送された後に映像信号の記録を行い、
映像信号が記録されたＤＶＤにチューナ部が受信した商用放送を記録することを指示されたときには、転送制御手段がＤＶＤに記録されていた映像信号をハードディスクドライブに転送する動作と、記録制御手段がチューナ部より出力される映像信号をＤＶＤに記録する動作とが時分割により並行して行われ、
チューナ部が受信した商用放送をＤＶＤに記録するときのビットレートは、記録を指示された商用放送の記録時間が定まるときには、ＤＶＤのデータエリアの全てを空きエリアとしたときのデータエリアの広さと記録を指示された商用放送の記録時間との関係から選択可能となるビットレートの範囲のうちの最も高い値に設定され、記録を指示された商用放送の記録時間が定まらないときには、商用放送を記録するときのビットレートとして予め定められた値であるデフォールト値に設定されることを特徴とする映像信号記録再生装置。
【請求項２】
データの書き換えが可能な光ディスクに映像信号の書き込みを行うとともに光ディスクに記録された映像信号の読み出しを行うディスクドライブ部と、
映像信号の記録再生を行う映像信号記録媒体と、
ディスクドライブ部と映像信号記録媒体とを制御することによって、光ディスクに記録された映像信号を映像信号記録媒体に転送する転送制御手段と、
ディスクドライブ部を制御することによって、光ディスクに映像信号の記録を行う記録制御手段とを備えた映像信号記録再生装置において、
転送制御手段は、ディスクドライブ部にセットされた光ディスクに映像信号が記録されていることが判明したときには、光ディスクに記録されている映像信号を映像信号記録媒体に転送し、
記録制御手段は、光ディスクに、データの記録が可能なエリアであるデータエリアの全てが空きエリアであるとみなして映像信号の記録を行うとともに、前記データエリアのうち、映像信号が既に記録されていたエリアについては、前記既に記録されていた映像信号が転送制御手段によって映像信号記録媒体に転送された後に映像信号の記録を行うことを特徴とする映像信号記録再生装置。
【請求項３】
商用放送を受信するチューナ部を備え、
映像信号が記録された光ディスクにチューナ部が受信した商用放送を記録することを指示されたときには、
転送制御手段が光ディスクに記録されていた映像信号を映像信号記録媒体に転送する動作と、記録制御手段がチューナ部より出力される映像信号を光ディスクに記録する動作とが時分割により並行して行われることを特徴とする請求項２記載の映像信号記録再生装置。
【請求項４】
チューナ部が受信した商用放送を光ディスクに記録するときのビットレートは、光ディスクのデータエリアの全てを空きエリアとしたときのデータエリアの広さと、記録を指示された商用放送の記録時間との関係から選択可能となるビットレートの範囲のうちの最も高い値に設定されることを特徴とする請求項２または請求項３記載の映像信号記録再生装置。
【発明の詳細な説明】
【技術分野】
【０００１】
本発明は、ハードディスクドライブ等のような、映像信号の記録再生を行う映像信号記録媒体を備えるとともに、データの書き換えが可能なＤＶＤ等の光ディスクに映像信号の記録を行う映像信号記録再生装置に関するものである。
【背景技術】
【０００２】
データの書き換えが可能な光ディスク（ＤＶＤ−ＲＷやＤＶＤ＋ＲＷ等）に映像信号を記録するディスクドライブ部と、映像信号を記録再生するためのハードディスクドライブ（以下では、ＨＤＤと称する）とを備えた映像信号記録再生装置が広く普及しつつある。この装置を用いて、残しておきたい映像信号が既に記録されたＤＶＤに、受信した番組を新たに記録する場合には、ＤＶＤの空きエリアの広さと、記録しようとする番組の録画時間との関係から、映像信号を記録するときのビットレートが求められるようになっている。そして後、求めたビットレートでもって、受信した番組をＤＶＤに記録している（第１の従来技術とする）。
【０００３】
また、以下に示す技術が提案されている（第２の従来技術とする）。すなわち、この技術においては、パーソナルコンピュータに外部ドライブ装置が接続された状態において、光ディスクを外部ドライブ装置に挿入し、そこに記録されている複数のファイルを、パーソナルコンピュータのハードディスクに対して、コピーまたはムーブすることが開示されている。また、ソフトウエアによる編集作業によって得られた編集結果を、光ディスクにコピーまたはムーブすることが開示されている（例えば、特許文献１参照）。
【０００４】
また、以下に示す技術が提案されている（第３の従来技術とする）。すなわち、この技術においては、ＤＶＤ−ＲＡＭの記録容量と同等の広さの記録エリアをＨＤＤの内部に確保している。そして後、ＤＶＤ−ＲＡＭが未使用がどうかを調べ、未使用でない場合にはＤＶＤ−ＲＡＭ内のデータを全て、前記した記録エリアにコピーしている。そして、録画を行う場合には、ＤＶＤ−ＲＡＭ内の空きエリアに映像信号を記録するとともに、ＨＤＤ内に確保された前記記録エリアのうちの空きとなっているエリアにも映像信号を記録することが開示されている（例えば、特許文献２参照）。
【特許文献１】特開２００１−１０１７９０号公報（第００７４，００７５段落）
【特許文献２】特開２００１−３３２０３６号公報（第００４３，００５５段落）
【発明の開示】
【発明が解決しようとする課題】
【０００５】
しかしながら、第１の従来技術を用いた場合には、以下に示す問題を生じていた。すなわち、番組を録画しようとするＤＶＤの空きエリアが少ない場合には、番組を記録するときのビットレートが低くなり、記録される映像信号の画質が悪くなる。従って、未使用のＤＶＤを使用することなく、番組を高画質で記録するには、空きエリアの広いＤＶＤを探して録画する必要があるので、その手間が煩わしいものとなる。且つ、空きエリアの広いＤＶＤを探して録画した場合であっても、未使用のＤＶＤを用いた場合に比すると、画質の低下を避けることはできない。
【０００６】
また、１つのＤＶＤに２つ以上のタイトルが記録される。このため、ＤＶＤの数とタイトルの数との対応関係が１対１の関係とはならないので、記録済のＤＶＤの整理が面倒となる。すなわち、多数のＤＶＤを保管する場合、一般には、ジャンルに分けて保管することが多い。しかし、複数のタイトルが２つ以上のジャンルにまたがる場合では、そのＤＶＤを、どのジャンルのＤＶＤとして整理保管すればよいのか迷うことになる。また、後になって取り出そうとするときに、どちらのジャンルの棚に保管しているのか、を思い出す必要があったりして、取り出すときにも、棚のあちこちを探さなければならない事態を招くことになる。
【０００７】
第２の従来技術は、参照情報格納部のみからなる外部参照形ファイルが意図しないファイルを参照することの防止を目的とした技術となっており、その目的を可能にする装置の構成の一部として、光ディスクを外部ドライブ装置に挿入し、そこに記録されている複数のファイルを、パーソナルコンピュータのハードディスクに対して、コピーまたはムーブすること、および、ソフトウエアによる編集作業によって得られた編集結果を、光ディスクにコピーまたはムーブすることを開示したものとなっているに過ぎない。このため、第１の従来技術において生じた問題を解決しようとする観点からする場合では、適用することが困難となっている。
【０００８】
また、第３の従来技術は、光ディスクに一連のデータを記録するとともに、同時に、一連のデータを再生することを目的とした技術となっており、その目的を可能にする装置の構成の一部として、ＤＶＤ−ＲＡＭの記録容量と同等の広さの記録エリアをＨＤＤの内部に確保するとともに、ＤＶＤ−ＲＡＭが未使用がどうかを調べ、未使用でない場合にはＤＶＤ−ＲＡＭ内のデータを全て、前記した記録エリアにコピーすること、および、録画を行う場合には、ＤＶＤ−ＲＡＭ内の空きエリアに映像信号を記録するとともに、ＨＤＤ内の前記記録エリアのうち、空きとなっているエリアにも映像信号を記録することを開示したものとなっているに過ぎない。このため、第１の従来技術において生じた問題を解決しようとする観点からする場合では、適用することが困難となっている。
【０００９】
本発明は、上記の問題点を解決するため創案されたものであり、その目的は、編集作業を行うことなく、消去したくない映像信号が既に記録されている光ディスクを、既に記録されていた映像信号を失うことなく、１つのタイトルの映像信号のみが、最も高画質でもって記録された光ディスクに更新することのでき、且つ、記録しようとする映像信号の受信が完了した後、受信した映像信号のＤＶＤへの記録が完了するまでの時間を短くすることのでき、且つ、記録される商用放送の映像信号の画質を最も高い画質とすることのでき、且つ、記録を指示された商用放送の記録時間が不明であるときにも、好適なビットレートでもって、受信した映像信号をＤＶＤに記録することのできる映像信号記録再生装置を提供することにある。
【００１０】
また本発明の目的は、映像信号を記録しようとする光ディスクに既に映像信号が記録されている場合には、光ディスクに記録されている映像信号を映像信号記録媒体に転送するとともに、データエリアの全てを空きエリアとみなして、光ディスクに映像信号の記録を行うことにより、編集作業を行うことなく、消去したくない映像信号が既に記録されている光ディスクを、既に記録されていた映像信号を失うことなく、１つのタイトルの映像信号のみが、最も高画質でもって記録された光ディスクに更新することのできる映像信号記録再生装置を提供することにある。
【００１１】
また上記目的に加え、光ディスクに記録されていた映像信号を映像信号記録媒体に転送する動作と、チューナ部より出力された映像信号を光ディスクに記録する動作とを時分割の並行した動作とすることにより、消去したくない映像信号が既に記録されている光ディスクに、受信した映像信号を記録させる場合において、記録しようとする映像信号の受信が完了した後、受信した映像信号の光ディスクへの記録が完了するまでの時間を短くすることのできる映像信号記録再生装置を提供することにある。
【００１２】
また上記目的に加え、チューナ部が受信した商用放送を光ディスクに記録するときのビットレートを、光ディスクのデータエリアの全てを空きエリアとしたときのデータエリアの広さと、記録を指示された商用放送の記録時間との関係から選択可能となる範囲のうちの最も高い値とすることにより、記録される商用放送の映像信号の画質を最も高い画質とすることのできる映像信号記録再生装置を提供することにある。
【課題を解決するための手段】
【００１３】
上記の課題を解決するため、本発明に係る映像信号記録再生装置は、商用放送を受信するチューナ部と、データの書き換えが可能なＤＶＤに映像信号の書き込みを行うとともにＤＶＤに記録された映像信号の読み出しを行うディスクドライブ部と、映像信号の記録再生を行うハードディスクドライブと、ディスクドライブ部とハードディスクドライブとを制御することによって、ＤＶＤに記録された映像信号をハードディスクドライブに転送する転送制御手段と、ディスクドライブ部を制御することによって、ＤＶＤに映像信号の記録を行う記録制御手段とを備えた映像信号記録再生装置に適用しており、転送制御手段は、ディスクドライブ部にセットされたＤＶＤに映像信号が記録されていることが判明したときには、ＤＶＤに記録されている映像信号をハードディスクドライブに転送し、記録制御手段は、ＤＶＤに、データの記録が可能なエリアであるデータエリアの全てが空きエリアであるとみなして映像信号の記録を行うとともに、前記データエリアのうち、映像信号が既に記録されていたエリアについては、前記既に記録されていた映像信号が転送制御手段によってハードディスクドライブに転送された後に映像信号の記録を行い、映像信号が記録されたＤＶＤにチューナ部が受信した商用放送を記録することを指示されたときには、転送制御手段がＤＶＤに記録されていた映像信号をハードディスクドライブに転送する動作と、記録制御手段がチューナ部より出力される映像信号をＤＶＤに記録する動作とが時分割により並行して行われ、チューナ部が受信した商用放送をＤＶＤに記録するときのビットレートは、記録を指示された商用放送の記録時間が定まるときには、ＤＶＤのデータエリアの全てを空きエリアとしたときのデータエリアの広さと記録を指示された商用放送の記録時間との関係から選択可能となるビットレートの範囲のうちの最も高い値に設定され、記録を指示された商用放送の記録時間が定まらないときには、商用放送を記録するときのビットレートとして予め定められた値であるデフォールト値に設定されるようになっている。
【００１４】
すなわち、データの記録が可能なエリアであるデータエリアの全てが空きエリアであるとみなして映像信号が記録されるので、データエリアの全てが、１つのタイトルによって占められる。また、ビットレートを最も高い値に設定することができる。また、ＤＶＤに既に記録されていた映像信号は、ハードディスクドライブに転送されて保存される。また、受信した映像信号は、リアルタイム処理に近いタイミングでもって、ＤＶＤに記録されるため、映像信号の受信を終了したときには、受信した映像信号の記録も、完了間近となる。また、選択可能となるビットレートの範囲は、ビットレートの最高値を含む範囲となるので、映像信号を記録するときのビットレートは最高値に設定される。また、記録を指示された商用放送の記録時間が定まらないときには、ビットレートはデフォールト値に設定される。
【００１５】
また本発明に係る映像信号記録再生装置は、データの書き換えが可能な光ディスクに映像信号の書き込みを行うとともに光ディスクに記録された映像信号の読み出しを行うディスクドライブ部と、映像信号の記録再生を行う映像信号記録媒体と、ディスクドライブ部と映像信号記録媒体とを制御することによって、光ディスクに記録された映像信号を映像信号記録媒体に転送する転送制御手段と、ディスクドライブ部を制御することによって、光ディスクに映像信号の記録を行う記録制御手段とを備えた映像信号記録再生装置に適用しており、転送制御手段は、ディスクドライブ部にセットされた光ディスクに映像信号が記録されていることが判明したときには、光ディスクに記録されている映像信号を映像信号記録媒体に転送し、記録制御手段は、光ディスクに、データの記録が可能なエリアであるデータエリアの全てが空きエリアであるとみなして映像信号の記録を行うとともに、前記データエリアのうち、映像信号が既に記録されていたエリアについては、前記既に記録されていた映像信号が転送制御手段によって映像信号記録媒体に転送された後に映像信号の記録を行うようになっている。
【００１６】
すなわち、データの記録が可能なエリアであるデータエリアの全てが空きエリアであるとみなして映像信号が記録されるので、データエリアの全てが、１つのタイトルによって占められることになる。また、ビットレートを最も高い値に設定することができる。また、光ディスクに既に記録されていた映像信号は、映像信号記録媒体に転送されて保存されることになる。
【００１７】
また上記構成に加え、商用放送を受信するチューナ部を備え、映像信号が記録された光ディスクにチューナ部が受信した商用放送を記録することを指示されたときには、転送制御手段が光ディスクに記録されていた映像信号を映像信号記録媒体に転送する動作と、記録制御手段がチューナ部より出力される映像信号を光ディスクに記録する動作とが時分割により並行して行われるようになっている。
【００１８】
すなわち、光ディスクに記録されていた映像信号を映像信号記録媒体に転送する動作と、チューナ部より出力される映像信号を光ディスクに記録する動作とを時分割により並行して行うと、受信した映像信号は、リアルタイム処理に近いタイミングでもって、光ディスクに記録されることになる。このため、映像信号の受信を終了したときには、受信した映像信号の記録も、完了間近となっている。
【００１９】
また上記構成に加え、チューナ部が受信した商用放送を光ディスクに記録するときのビットレートは、光ディスクのデータエリアの全てを空きエリアとしたときのデータエリアの広さと、記録を指示された商用放送の記録時間との関係から選択可能となるビットレートの範囲のうちの最も高い値に設定されるようになっている。
【００２０】
すなわち、映像信号を記録するためのエリアの広さは、未使用の光ディスクを用いる場合と同じ広さとなる。このため、選択可能となるビットレートの範囲は、ビットレートの最高値を含む範囲となるので、映像信号を記録するときのビットレートは最高値に設定されることになる。
【発明の効果】
【００２１】
本発明によれば、データエリアの全てを空きエリアとみなして映像信号が記録されるので、データエリアの全てが１つのタイトルによって占められる。且つ、ビットレートは最も高い値に設定され、ＤＶＤに既に記録されていた映像信号は、ハードディスクドライブに転送されて保存される。また、受信した映像信号は、リアルタイム処理に近いタイミングでもって、ＤＶＤに記録されるため、映像信号の受信を終了したときには、受信した映像信号の記録も、完了間近となる。また、選択可能となるビットレートの範囲は、ビットレートの最高値を含む範囲となるので、商用放送の映像信号を記録するときのビットレートは最高値に設定される。また、記録を指示された商用放送の記録時間が定まらないときには、ビットレートはデフォールト値に設定される。このため、編集作業を行うことなく、消去したくない映像信号が既に記録されている光ディスクを、既に記録されていた映像信号を失うことなく、１つのタイトルの映像信号のみが、最も高画質でもって記録された光ディスクに更新することができ、且つ、記録しようとする映像信号の受信が完了した後、受信した映像信号のＤＶＤへの記録が完了するまでの時間を短くすることができ、且つ、記録される商用放送の映像信号の画質を最も高い画質とすることができ、且つ、記録を指示された商用放送の記録時間が不明であるときにも、好適なビットレートでもって、受信した映像信号をＤＶＤに記録することができる。
【００２２】
また本発明によれば、データの記録が可能なエリアであるデータエリアの全てを空きエリアとみなして映像信号が記録されるので、データエリアの全てが１つのタイトルによって占められることになる。また、ビットレートを最も高い値に設定することができるとともに、光ディスクに既に記録されていた映像信号は、映像信号記録媒体に転送されて保存される。このため、編集作業を行うことなく、消去したくない映像信号が既に記録されている光ディスクを、既に記録されていた映像信号を失うことなく、１つのタイトルの映像信号のみが、最も高画質でもって記録された光ディスクに更新することができる。
【００２３】
また、さらに、光ディスクに記録されていた映像信号を映像信号記録媒体に転送する動作と、チューナ部より出力される映像信号を光ディスクに記録する動作とが時分割により並行して行われる。従って、映像信号の受信を終了したときには、受信した映像信号の記録も完了間近となっているので、消去したくない映像信号が既に記録されている光ディスクに、受信した映像信号を記録させる場合において、記録しようとする映像信号の受信が完了した後、受信した映像信号の光ディスクへの記録が完了するまでの時間を短くすることができる。
【００２４】
また、さらに、チューナ部が受信した商用放送を光ディスクに記録するときのビットレートは、光ディスクのデータエリアの全てを空きエリアとしたときのデータエリアの広さと、記録を指示された商用放送の記録時間との関係から選択可能となるビットレートの範囲のうちの最も高い値に設定されるようになっている。従って、選択可能となるビットレートの範囲は、ビットレートの最高値を含む範囲となり、映像信号を記録するときのビットレートは最高値に設定されることになるので、記録される商用放送の映像信号の画質を最も高い画質とすることができる。
【発明を実施するための最良の形態】
【００２５】
以下、本発明の実施の形態について図を参照して説明する。
【００２６】
図１は、本発明に係る映像信号記録再生装置の一実施形態の電気的構成を示すブロック線図である。
【００２７】
図において、チューナ部１は、マイクロコンピュータ７から指示されたチャンネルの商用放送を受信するとともに、受信して得られたアナログ映像信号（アナログ音声信号を含む信号であり、以下では、単に映像信号と称する）をＡ／Ｄ変換部２に出力する。Ａ／Ｄ変換部２は、チューナ部１から出力される映像信号をデジタル映像信号（デジタル音声信号を含む信号であり、以下では、単に映像信号と称する）に変換し、信号処理部３に出力する。
【００２８】
ディスクドライブ部５は、信号処理部３より出力されるデジタル信号（映像信号や音声信号等を含む信号であり、以下では、単に映像信号と称する）を、ＤＶＤ（請求項記載の光ディスクであり、具体的には、ＤＶＤ−ＲＷやＤＶＤ＋ＲＷ等）１１に記録する。また、ＤＶＤ１１に記録されたデジタル信号（映像信号や音声信号等を含む信号であり、以下では、単に映像信号と称する）を読み出して信号処理部３に出力する。
【００２９】
ハードディスクドライブ（請求項記載の映像信号記録媒体であり、以下では、ＨＤＤと称する）６は、信号処理部３より出力されるデジタル信号（映像信号や音声信号等を含む信号であり、以下では、単に映像信号と称する）を内部に記録する。また、内部に記録した映像信号を再生して信号処理部３に出力する。Ｄ／Ａ変換部４は、信号処理部３より出力される映像信号を、アナログ映像信号（アナログ音声信号を含む）に変換し、外部のテレビ受像機１２に出力する。
【００３０】
信号処理部３は、映像信号を圧縮処理するエンコード部１５を備えており、Ａ／Ｄ変換部２から出力される映像信号を、ディスクドライブ部５を介してＤＶＤ１１に記録するための信号や、ＨＤＤ６に記録するための信号に変換するエンコード処理を行う。また、圧縮処理された映像信号を伸長するデコード部１６を備えており、ＤＶＤ１１から読み出され、ディスクドライブ部５から出力される映像信号や、ＨＤＤ６から再生される映像信号をデコード処理して、Ｄ／Ａ変換部４に出力する。
【００３１】
すなわち、信号処理部３は、Ａ／Ｄ変換部２から出力された映像信号を、ＭＰＥＧ２方式に従って圧縮処理するとともに、圧縮処理して得られた映像信号を、ＨＤＤ６に出力して記録させる。また、圧縮処理して得られた映像信号を、ディスクドライブ部５に出力することによって、ＤＶＤ１１に記録させる。また、ＨＤＤ６から再生された映像信号やディスクドライブ部５より出力される映像信号を、ＭＰＥＧ２方式によって伸長処理するとともに、伸長処理して得られた映像信号をＤ／Ａ変換部４に出力する。
【００３２】
また、信号処理部３は、マイクロコンピュータ７からの指示に従い、ディスクドライブ部５から出力された映像信号をＨＤＤ６に出力する。また、ＨＤＤ６より再生された映像信号をディスクドライブ部５に出力する。
【００３３】
入力回路部８は、図示されない装置本体の前面パネルに設けられた電源キー等のキースイッチや、リモートコントローラ９から送信される赤外線信号を受光する受光ユニット等を備えており、ユーザからの指示が入力される。また、入力されたユーザからの指示をマイクロコンピュータ７に出力する。
【００３４】
マイクロコンピュータ７は、映像信号記録再生装置としての主要動作を制御する。すなわち、リモートコントローラ９等に入力されたユーザの指示に従って、チューナ部１が受信するチャンネルを制御する。また、信号処理部３を制御することによって、ＤＶＤ１１の再生、ＤＶＤ１１への映像信号の記録、ＨＤＤ６に記録された映像信号の再生、受信した映像信号のＨＤＤ６への記録、等の制御を行う。
【００３５】
また、マイクロコンピュータ７は、その機能の一部でもって転送制御手段１７を構成する。すなわち、マイクロコンピュータ７は、ディスクドライブ部５にセットされたＤＶＤ１１に映像信号が記録されていることが判明したときには、ＤＶＤ１１に記録されている映像信号をＨＤＤ６に転送して記録させる。                                              
【００３６】
また、マイクロコンピュータ７は、その機能の一部でもって記録制御手段１８を構成する。すなわち、マイクロコンピュータ７は、ＤＶＤ１１のデータエリア（データの記録が可能なエリア）の全てを空きエリアとみなして、ＨＤＤ６に記録されていた映像信号、あるいは、チューナ部１より出力される映像信号をＤＶＤ１１に記録する。なお、ＤＶＤ１１におけるデータエリアのうち、映像信号が既に記録されていたエリアについては、既に記録されていた映像信号が転送制御手段１７によってＨＤＤ６に転送された後に、映像信号の記録を行う。
【００３７】
また、マイクロコンピュータ７は、映像信号が記録されたＤＶＤ１１がディスクドライブ部５にセットされた状態において、チューナ部１が受信した商用放送をＤＶＤ１１に記録することを指示されたときには、転送制御手段１７を用いてＤＶＤ１１に記録されていた映像信号をＨＤＤ６に転送して記録する動作と、記録制御手段１８を用いてチューナ部１より出力された映像信号をＤＶＤ１１に記録する動作とが、時分割による並行動作となるように、信号処理部３やディスクドライブ部５やＨＤＤ６の動作を制御する。
【００３８】
また、マイクロコンピュータ７は、チューナ部１が受信した商用放送をＤＶＤ１１に記録するときのビットレートを、ＤＶＤ１１のデータエリアの全てを空きエリアとしたときのデータエリアの広さ（４．７ＧＢ）と、記録を指示された商用放送の時間的長さとの関係に基づき、記録される映像信号の画質が最も高い画質となるビットレートに設定する。すなわち、ＤＶＤ１１が一層にのみ記録可能な光ディスクである場合、記録する商用放送の映像信号の長さが、例えば、１時間より短いときには、ビットレートは４．７ＧＢに設定され、記録する商用放送の映像信号の長さが、例えば、２時間であるときには、ビットレートは、（４．７／２）ＧＢに設定される（なお、２層に記録が可能な光ディスクの場合には、記録する商用放送の映像信号の長さが２時間を超えない場合では、ビットレートは４．７ＧＢとなる）。
【００３９】
また、チューナ部１が受信した商用放送をＤＶＤ１１に記録するときに、記録する映像信号の長さを示す情報が入力されないため、記録する映像信号の長さが定まらない場合には、ＤＶＤ１１に映像信号を記録するときのビットレートを、予め設定されたデフォールト値に設定する。
【００４０】
図２は、ＨＤＤに記録されていた映像信号をＤＶＤに記録する場合の実施形態の主要動作を示すフローチャートである。必要に応じて同図を参照しつつ、動作を説明する。
【００４１】
リモートコントローラ９を用いて、保存用記録モード（本発明の機能が実行されるモード）を選択する。次いで、ＤＶＤ１１をディスクドライブ部５にセットした後（ステップＳ１）、ＨＤＤ６に記録された映像信号（番組）のうちから、ＤＶＤ１１に記録したい映像信号を指示する（ステップＳ２）。ＤＶＤ１１に記録したい映像信号が指示されると、記録制御手段１８は、ＤＶＤ１１の全データエリアが空きエリアであると見なして、指示された映像信号を、全データエリアを使用して記録するためのビットレートを演算する（ステップＳ３）。
【００４２】
一方、転送制御手段１７は、ディスクドライブ部５にセットされたＤＶＤ１１が、既に映像信号が記録されているＤＶＤであるのか、あるいは、全く映像信号が記録されていないＤＶＤであるのかを調べる（ステップＳ４）。セットされたＤＶＤ１１が、既に映像信号が記録されているＤＶＤである場合、転送制御手段１７は、記録されていた映像信号が失われないようにするため、ＤＶＤ１１に記録されていた映像信号をＨＤＤ６に転送して記録保存する（ステップＳ５，Ｓ６）。
【００４３】
ＤＶＤ１１に記録されていた映像信号をＨＤＤ６に転送する動作が完了したときには、記録制御手段１８は、指示された映像信号をＨＤＤ６から読み出すように制御する。また、ディスクドライブ部５に出力される映像信号のビットレートが、ステップＳ３において演算したビットレート値となるように制御する。その結果、ＨＤＤ６に記録されていた映像信号は、最も高画質となるビットレートの映像信号としてＤＶＤ１１に記録される（ステップＳ７）。
【００４４】
一方、ステップＳ５の判定において、ＤＶＤ１１には映像信号が記録されていないことが判明した場合、動作は、ステップＳ５から、直ちにステップＳ７に移行する。このため、ＨＤＤ６に記録されていた映像信号は、最も高画質となるビットレートの映像信号としてＤＶＤ１１に記録される。
【００４５】
以上のことから、消去したくない映像信号が既に記録されているＤＶＤ１１に、ＨＤＤ６内の映像信号を記録させるときであっても、ＤＶＤ１１には、１つのタイトルの映像信号のみが記録されることになるので、ＤＶＤ１１の整理や保存位置の決定が簡単化され、保管整理が容易となる。
【００４６】
図３は、チューナ部が受信した映像信号をＤＶＤに記録する場合の実施形態の主要動作を示すフローチャートである。必要に応じて同図を参照しつつ、動作を説明する。
【００４７】
リモートコントローラ９を用いて、保存用記録モード（本発明の機能が実行されるモード）を選択する。次いで、ＤＶＤ１１をディスクドライブ部５にセットし（ステップＳ１１）、リモートコントローラ９を用いて、ＤＶＤ１１に記録したい番組に関する情報（受信するチャンネル、放送時間、等）を入力する（ステップＳ１２）。番組に関する情報が入力されたときでは、入力された情報によって、録画時間が定まるかどうかを調べる（ステップＳ１３）。録画時間が定まる場合、記録制御手段１８は、ＤＶＤ１１の全データエリアが空きエリアであると見なして、指示された番組を、全データエリアを使用して記録するときのビットレートを演算する（ステップＳ１４，Ｓ１５）。一方、番組に関して入力された情報が、例えば、録画の開始時間のみで、終了時間が入力されなかった場合、等のように、録画時間が定まらない場合では、ビットレートは、予め設定されたデフォールト値に決定される（ステップＳ１４，Ｓ２１）。
【００４８】
そして後、転送制御手段１７は、ディスクドライブ部５にセットされたＤＶＤ１１が、既に映像信号が記録されているＤＶＤであるのか、あるいは、全く映像信号が記録されていないＤＶＤであるのかを調べる（ステップＳ１６）。セットされたＤＶＤ１１が、既に映像信号が記録されているＤＶＤである場合、マイクロコンピュータ７（転送制御手段１７と記録制御手段１８とを含む）は、ＤＶＤ１１に記録されていた映像信号をＨＤＤ６に転送する動作と、チューナ部１が受信して出力する映像信号をＤＶＤ１１に記録する動作とが、例えば、数秒の間隔でもって交互に行われるように制御する（ステップＳ１７，Ｓ１８）。
【００４９】
すなわち、ＤＶＤ１１に記録されていた映像信号をＨＤＤ６に転送する動作と、チューナ部１が受信して出力する映像信号をＤＶＤ１１に記録する動作とが、時分割でもって、並行して行われるように制御する（このとき、ＤＶＤ１１に映像信号を記録するためのビットレートには、ステップＳ１５またはステップＳ２１において演算された値が使用される。また、テレビ受像機１２には受信した番組が表示される）。従って、チューナ部１から出力される映像信号は、リアルタイム処理に近似したタイミングでもって、ＤＶＤ１１に記録されることになる。その結果、記録しようとする番組の受信が終了したとき（受信した番組のテレビ受像機１２による表示が終了したとき）には、受信した番組のＤＶＤ１１への記録が終了間近となる。
【００５０】
つまり、既に映像信号が記録されているＤＶＤ１１に、データエリアの全てを使用して、受信した番組を新たに記録させ、且つ、既に記録されていた映像信号を失われないようにするときであっても、記録しようとする番組の受信が終了したときには、余り遅れることもなく、受信した番組のＤＶＤ１１への記録も終了する。このため、既に映像信号が記録されているＤＶＤ１１に、データエリアの全てを使用して、番組を新たに記録させ、且つ、記録されていた映像信号を失われないようにするときにも、使い勝手が悪くなるといった事態の発生が回避されることになる。
【００５１】
一方、ディスクドライブ部５にセットされたＤＶＤ１１が、映像信号が記録されていないＤＶＤである場合（未使用のＤＶＤである場合等）では、マイクロコンピュータ７は、記録制御手段１８を用いることによって、チューナ部１が受信して出力する映像信号をＤＶＤ１１に記録する（ステップＳ１７，Ｓ２２）。なお、このときにも、ＤＶＤ１１に映像信号を記録するためのビットレートには、ステップＳ１５またはステップＳ２１において演算された値が使用される。
【００５２】
以上のことから、消去したくない映像信号が既に記録されているＤＶＤ１１に、受信した番組を記録させるときであっても、ＤＶＤ１１には、１つの番組の映像信号のみが記録されることになるので、ＤＶＤ１１の整理や保存位置の決定が簡単化され、ＤＶＤの保管整理が容易となる。
【００５３】
なお、本発明は上記実施形態に限定されず、映像信号記録媒体については、ＨＤＤ６とした場合について説明したが、その他の構成の映像信号記録媒体を用いた構成とすることができる。
【００５４】
また、映像信号の記録と再生が可能な光ディスクについては、ＤＶＤとした場合について説明したが、その他の光ディスクの場合にも、同様に適用することができる。
【図面の簡単な説明】
【００５５】
【図１】本発明に係る映像信号記録再生装置の一実施形態の電気的構成を示すブロック線図である。
【図２】ＨＤＤに記録されていた映像信号をＤＶＤに記録する場合の実施形態の主要動作を示すフローチャートである。
【図３】チューナ部が受信した映像信号をＤＶＤに記録する場合の実施形態の主要動作を示すフローチャートである。
【符号の説明】
【００５６】
１  チューナ部
５  ディスクドライブ部
６  ハードディスクドライブ（映像信号記録媒体）
１１  ＤＶＤ（光ディスク）
１７  転送制御手段
１８  記録制御手段
【図１】
2005293795.tif 000003
【図２】
2005293795.tif 000004
【図３】
2005293795.tif 000005